(57)【要約】【課題】本発明は、液体と空気等の流体が流れの途中で仕切板に当たって乱流することを何回も繰り返すことにより極めて微細な気泡等を水中に分散混合させることができる流体混合供給装置を提供する。【解決手段】流体混合供給装置１０の内部には仕切体支持シャフト３０が同心状に配設され、仕切体支持シャフト３０には薄板状の仕切体３２が間隔を設けて複数取り付けられている。この仕切体３２の仕切板部３２Ｂの外周面３２Ｃは前記中間部２２の内周面２２Ａに当接され外筒１２の内部は多数の室３４に仕切られている。前記仕切板部３２Ｂには液体通過部３６が周方向に沿って９０°毎に形成されている。【選択図】　　図１
2004066073.tif 000002
【特許請求の範囲】
【請求項１】
外筒の一端部に形成されると共に加圧された液体が流入する液体流入部と、前記外筒の他端部に形成されて前記液体が流出する液体流出部と、前記外筒に連通形成されると共に加圧された空気や液体等の流体が流入する流体流入部と、前記外筒の内部に外筒の長手方向と交差方向に配設されて前記外筒の内部を複数の室に仕切る仕切体と、これら仕切体の周方向に沿って間隔を設けて形成されると共に前記液体が仕切体を通過できる液体通過部と、を有してなることを特徴とする流体混合供給装置。
【請求項２】
外筒の一端部に形成されると共に加圧された液体が流入する液体流入部と、前記外筒の他端部に形成されて前記液体が流出する液体流出部と、前記外筒に連通形成されると共に加圧された空気や液体等の流体が流入する流体流入部と、前記外筒の内部に外筒と同心状に外筒の長手方向に沿って設けられた仕切体支持シャフトと、この仕切体支持シャフトに間隔を設けて取り付けられる仕切体と、この仕切体に形成されると共に前記仕切体支持シャフトの軸方向と交差方向に配設されて前記外筒の内部を複数の室に仕切る仕切板部と、この仕切板部の周方向に沿って間隔を設けて形成されると共に前記液体が仕切板部を通過できる液体通過部と、を有してなる流体混合供給装置であって、前記隣り合う仕切板部の液体通過部と仕切板部の液体通過部が対応しないよう前記仕切体を設けたことを特徴とする流体混合供給装置。
【請求項３】
外筒の一端部に形成されると共に加圧された液体が流入する液体流入部と、前記外筒の他端部に形成されて前記液体が流出する液体流出部と、前記外筒に連通形成されると共に加圧された空気や液体等の流体が流入する流体流入部と、前記外筒の内部に配設される複数の仕切体と、この仕切体に形成されると共に前記外筒の長手方向と交差方向に配設されて前記外筒の内部を複数の室に仕切る仕切板部と、この仕切板部の周方向に沿って間隔を設けて形成されると共に前記液体が仕切板部を通過できる液体通過部と、前記仕切板部の一端面に形成されたボス部と、このボス部の先端面に形成された溝部と、前記仕切板部の他端面に突設されると共に前記ボス部の溝部に嵌入される嵌入突起部と、を有してなる流体混合供給装置であって、前記隣り合う仕切板部の液体通過部と仕切板部の液体通過部が対応しないよう前記仕切体を設けたことを特徴とする流体混合供給装置。
【発明の詳細な説明】
【０００１】
【発明の属する技術分野】
本発明は、液体と空気等の流体を混合して極めて微細な空気の気泡等を液体に一体混合させた状態で供給することができる流体混合供給装置に関する。
【０００２】
【従来の技術】
空気混合供給装置としては実用新案登録に示す装置（実用新案登録第２１２５４７５号）に示されているような構成の空気混合供給装置が提案されている。
この空気混合供給装置は筒状の容器本体の内部に固定された支持杆に左回りスクリューと右回りスクリューを交互に固定して前記容器本体の内部に水と空気を加圧して流して左回りスクリューと右回りスクリューに前記水と空気が流れることにより乱流状態として微細な空気の気泡を水中に分散させるものである。
しかし、この装置においては左回りスクリューと右回りスクリューに水と空気が流れることにより乱流状態を起すものであるが左回りスクリューと右回りスクリューでは乱流個所を多く形成することは困難である。
このため、水中に分散混合させる空気等の気泡をより微細にすることが困難であるという不具合が有る。
【０００３】
【発明が解決しようとする課題】
本発明は、上記不具合を解消するために開発されたものであり、液体と空気等の流体が流れの途中で仕切体に当たって乱流することを何回も繰り返すことにより極めて微細な気泡等を水中に分散混合させることができる流体混合供給装置を提供するものである。
【０００４】
【課題を解決するための手段】
請求項１の発明は、外筒の一端部に形成されると共に加圧された液体が流入する液体流入部と、前記外筒の他端部に形成されて前記液体が流出する液体流出部と、前記外筒に連通形成されると共に加圧された空気や液体等の流体が流入する流体流入部と、前記外筒の内部に外筒の長手方向と交差方向に配設されて前記外筒の内部を複数の室に仕切る仕切体と、これら仕切体の周方向に沿って間隔を設けて形成されると共に前記液体が仕切体を通過できる液体通過部と、を有してなることを特徴としている。
請求項２の発明は、外筒の一端部に形成されると共に加圧された液体が流入する液体流入部と、前記外筒の他端部に形成されて前記液体が流出する液体流出部と、前記外筒に連通形成されると共に加圧された空気や液体等の流体が流入する流体流入部と、前記外筒の内部に外筒と同心状に外筒の長手方向に沿って設けられた仕切体支持シャフトと、この仕切体支持シャフトに間隔を設けて取り付けられる仕切体と、この仕切体に形成されると共に前記仕切体支持シャフトの軸方向と交差方向に配設されて前記外筒の内部を複数の室に仕切る仕切板部と、この仕切板部の周方向に沿って間隔を設けて形成されると共に前記液体が仕切板部を通過できる液体通過部と、を有してなる流体混合供給装置であって、前記隣り合う仕切板部の液体通過部と仕切板部の液体通過部が対応しないよう前記仕切体を設けたことを特徴としている。
請求項３の発明は、外筒の一端部に形成されると共に加圧された液体が流入する液体流入部と、前記外筒の他端部に形成されて前記液体が流出する液体流出部と、前記外筒に連通形成されると共に加圧された空気や液体等の流体が流入する流体流入部と、前記外筒の内部に配設される複数の仕切体と、この仕切体に形成されると共に前記外筒の長手方向と交差方向に配設されて前記外筒の内部を複数の室に仕切る仕切板部と、この仕切板部の周方向に沿って間隔を設けて形成されると共に前記液体が仕切板部を通過できる液体通過部と、前記仕切板部の一端面に形成されたボス部と、このボス部の先端面に形成された溝部と、前記仕切板部の他端面に突設されると共に前記ボス部の溝部に嵌入される嵌入突起部と、を有してなる流体混合供給装置であって、前記隣り合う仕切板部の液体通過部と仕切板部の液体通過部が対応しないよう前記仕切体を設けたことを特徴としている。
【０００５】
【発明の実施の形態】
図１〜図５には本発明に係る流体混合供給装置の第１実施例が示されている。図１に示されるように、流体混合供給装置１０の外筒１２は円筒形状に形成され、この実施例では外筒１２の長さ寸法は３００ｍｍに設定されている。この外筒１２の一端部にはポンプ等によって加圧された水等の液体が流入する液体流入部１４が形成されている。この液体流入部１４の内周面には雌螺子部１６が形成されている。
また、前記外筒１２の他端部には前記水等の液体が流出される液体流出部１８が形成されている。この液体流出部１８の外周面には雄螺子部２０が形成されている。
前記外筒１２の液体流入部１４と液体流出部１８の間には液体流入部１４，液体流出部１８より少し大径で長い中間部２２が形成されている。
この中間部２２の一端部にはコンプレッサー２４（図５参照）によって加圧された空気が流れる流体ホース２６が連結される流体流入部２８が連通形成されている。
前記外筒１２の中間部２２の内部には仕切体支持シャフト３０が前記外筒１２と同心状に配設されている。この仕切体支持シャフト３０には薄板状の仕切体３２が間隔を設けて複数取り付けられている。この仕切体３２の中央部３２Ａには連続して仕切板部３２Ｂが形成されている。この仕切板部３２Ｂは前記仕切板支持シャフト３０の軸方向と直交方向に配設されている。これら仕切板部３２Ａの外周面３２Ｃは前記中間部２２の内周面２２Ａに当接している。従って、多数の仕切体３２を設けることにより外筒１２の中間部２２の内部は多数の室３４に仕切られている。
図４に示されるように、前記仕切体３２の仕切板部３２Ｂには水等の液体が通過できる液体通過部３６が周方向に沿って９０°の間隔を設けて４個形成されている。これら液体通過部３６は正面視半長円状に形成されている。
また、この仕切体３２の中央部３２Ａにはシャフト挿入孔３８が貫通形成され、前記仕切体支持シャフト３０が挿入されるようになっている。
図２に示されるように、前記仕切体３２と仕切体３２の間には隣り合う仕切体３２同士が一定の間隔を設けて配設されるように仕切体３２と仕切体３２との間にカラー４０が１個づつ配設されている。これらカラー４０も前記仕切体支持シャフト３０が挿入されて仕切体支持シャフト３０に支持されている。
図１〜３に示されるように、前記仕切体３２の仕切板部３２Ｂの液体通過部３６は隣り合う仕切体３２の仕切板部３２Ｂの液体通過部３６と互いに対応しないように周方向に４５°ずらして前記仕切体３２は仕切体支持シャフト３０に配設されている。
従って、水等の液体と空気等の流体は外筒１２の液体流入部１４側から液体流出部１８側に向かって中間部２２内をスムーズに流れることはできず、水等の液体と空気等の流体は仕切板部３２Ｂに当たって室３４内毎に乱流するようになっている。
図１に示されるように、前記仕切体支持シャフト３０の一端部と他端部には図示されない雄螺子がそれぞれ形成されており、この雄螺子にはナット４２，４２が取り付けられている。これらナット４２，４２を締め付けることにより前記仕切体３２は仕切体支持シャフト３０に確実に固定されるようになっている。
従って、前記ナット４２，４２を緩めることにより仕切体３２を仕切体支持シャフト３０から取り外すことができるので、容易に仕切体３２の数を増やしたり少なくしたりして仕切体３２の数と室３４の数を調節することができるようになっている。
また、前記ナット４２，４２を緩めることにより仕切体３２の周方向角度（図４矢印方向）を変えることができるので、外筒１２を流れる液体の流れを調節することができるようになっている。
【０００６】
次に、実施例の流体混合供給装置１０を魚等を飼育する水槽に給水する水槽給水装置４３に適用した場合を例にして流体混合供給装置１０の作用を説明する。図５に示されるように、流体混合供給装置１０の外筒１２の液体流入部１４にはポンプ４４で加圧された水を供給する水供給パイプ４６が接続されている。
また、前記流体混合供給装置１０の外筒１２の液体流出部１８には水槽４７に給水する給水蛇口４８が接続されている。
前記流体流入部２８にはコンプレッサー２４によって加圧された空気が流れる流体ホース２６が連結されている。
前記流体混合供給装置１０の液体流入部１４にポンプ４４で加圧された水を水供給パイプ４６を介して流すと水は液体流入部１４を通過して外筒１２の中間部２２に流れ込む。また、コンプレッサー２４によって加圧された圧縮空気は流体ホース２６を介して流体流入部２８から外筒１２の中間部２２の内部に入り込む。
従って、水と空気は仕切体３２の仕切板部３２Ｂに当たり室３４内で乱流状態になると共に空気はクラッシュして小さい空気の気泡となる。この状態で水と気泡は液体通過部３６を通過して隣の室３４に入り込む。すると、再び仕切体３２の仕切板部３２Ｂに当たり室３４内で乱流状態になると共に空気の気泡はクラッシュして更に小さい空気の気泡となると共に気泡は倍々的に増えて水中に混合することになる。
従って、外筒１２内で仕切体３２の仕切板部３２Ｂ毎に当たって室３４毎に乱流状態が繰り返されることにより水中の空気の気泡は極めて微細な微粒子状の気泡になると共に数も倍々的に増加して水中に分散混合することになる。
この結果、流体混合供給装置１０の外筒１２の流体流出部１８から極めて微細な微粒子状の気泡が分散混合している水を水槽４７に提供することができる。
従って、前記流体混合供給装置１０によって水槽４７に供給された水は極めて微細な空気の気泡が分散混合されているので、気泡の上昇速度が遅くなり気泡が長時間水中に存在できることになる。
このため、水槽４７内の魚等は酸素の豊富な水により生かされるので、魚等の飼育環境を一段と向上させることができる。
また、前記水槽４７を循環式の水槽にしてトラック等の輸送車両に搭載すれば、魚等を元気な状態で長距離搬送することができる。
【０００７】
なお、流体混合供給装置１０は図６に示されるように直列に２個並べて使用してもよい。
この場合、流体混合供給装置１０と流体混合供給装置１０は連結ホースや連結パイプ４９で連通連結されている。従って、最初の流体混合供給装置１０によって極めて微細な微粒子状の気泡が分散混合している水は２番目の流体混合供給装置１０によって再度乱流状態を作り出されるため、より微細な微粒子状の気泡が分散混合している水を提供することができる。なお、この場合、最初の流体混合供給装置１０にのみコンプレッサー２４によって加圧された圧縮空気を流体ホース２６を介して外筒１２に入れてもよい。
また、図７に示されるように、前記流体混合供給装置１０と流体混合供給装置１０を横に並べて連結ホースや連結パイプ４９で連通連結して使用するようにしてもよいことは勿論である。
さらに、図８に示されるように前記流体混合供給装置１０を複数並べたり束ねたりして流体混合供給装置１０を並列に配設して使用するようにしてもよいことは勿論である。この場合は複数の流体混合供給装置１０の液体流入部１４に給水できるように特殊形状の水供給パイプ５０Ａが前記液体流入部１４に接続され、流体混合供給装置１０の液体流出部１８から水が流出できるように特殊形状の排水パイプ５０Ｂが前記液体流出部１８に接続されるようになっている。
なお、直列又は並列に配設する流体混合供給装置１０の数は図面に示した数に限定されないことは勿論である。
【０００８】
次に、実施例の前記流体混合供給装置１０を散水機５１に適用した場合を例にして説明する。
図９に示されるように、前記流体混合供給装置１０の液体流入部１４には適宜手段を介して連結パイプ５２の一端部５２Ａが連結されている。この連結パイプ５２の他端部５２Ｂは水道の蛇口５４に連結されている。また、前記流体混合供給装置１０の液体流出部１８には適宜手段を介して散水孔が多数形成された散水パイプ５６が連結されている。
従って、前記水道の蛇口５４を開いて水を流すと水は前記外筒１２の中間部２２に導かれる。また、コンプレッサー２４によって加圧された圧縮空気は流体ホース２６を介して流体流入部２８から外筒１２の中間部２２内部に勢いよく入り込む。
この結果、外筒１２内で乱流状態が何回も繰り返されることにより、極めて微細な微粒子状の空気の気泡が分散混合する水をまくことができる。
従って、前記散水機５１で植物に水をまけば水中内の気泡は極めて微細であるため植物の根深くまで空気の気泡が運ばれることにより、植物の根腐れ等の防止に役立ったり、酸素不足等で弱った植物の再生等に極めて有効である。
また、果樹や野菜等に前記散水機５１によって水をまけば果実や野菜の糖分や旨みを増加させることに効果を発揮させることができる。
【０００９】
次に、実施例の前記流体混合供給装置１０をシャワー６０に適用した場合を例にして説明する。
図１０に示されるように、前記流体混合供給装置１０の液体流入部１４には適宜手段を介して連結パイプ６２の一端部６２Ａが連結されている。この連結パイプ６２の他端部６２Ｂはお湯や水を切り替えて流すことができるシャワーパイプ６４に連結されている。また、前記流体混合供給装置１０の液体流出部１８には適宜手段を介してシャワーヘッド６６が取り付けられている。このシャワーヘッド６６の先端面６６Ａには図示されない小孔が多数形成されている。
従って、前記シャワーパイプ６４を開いてお湯や水を流すとお湯や水は前記外筒１２の中間部２２に導かれる。また、コンプレッサー２４によって加圧された圧縮空気は流体ホース２６を介して流体流入部２８から外筒１２の中間部２２内部に勢いよく入り込む。
従って、この結果、外筒１２内で乱流状態が何回も繰り返されることにより、シャワーヘッド６６から出るお湯や水には微細な微粒子状の空気の気泡が分散混合している。
この結果、前記シャワー６０を使用して身体や毛髪を洗うと微細な微粒子状の空気の気泡が混在したお湯や水で身体や毛髪を洗うことができる。
【００１０】
図１１には前記流体混合供給装置１０をディーゼルエンジンに燃料を供給するディーゼルエンジン燃料供給装置７０に適用した場合を例にして説明する。
図１１に示されるように、このディーゼルエンジン燃料供給装置７０に適用される流体混合供給装置１０の外筒１２に形成された流体流入部２８は空気サブタンクパイプ７２を介して近くに設けられた空気サブタンク７４に連通されている。前記空気サブタンクパイプ７２には図示されない弁が設けられて送る空気の量を調節できるようになっている。
また、前記空気サブタンク７４の近くには空気サブタンク７４に加圧した状態で空気を送り込む空気タンク７６が設けられている。前記空気サブタンク７４と空気タンク７６は空気タンクパイプ７８を介して互いに連通されている。この空気タンクパイプ７８にはメーター付調整弁８０が設けられ、空気タンク７６から空気サブタンク７４への空気の量を監視、調整できるようになっている。
前記流体混合供給装置１０の外筒１２の液体流入部１４は流入ゴムホース８２を介して後述するディーゼルエンジンの燃料である軽油が入った軽油タンク８４と接続されている。
前記流体混合供給装置１０の外筒１２の液体流出部１８には流出ゴムホース８６の基端部８６Ａが連結固定され、流出ゴムホース８６の先端部８６Ｂには吸引ポンプ８８が設けられている。また、この吸引ポンプ８８の近傍には空気が混合された軽油が貯蔵される空気混合軽油タンク９０が設けられている。この空気混合軽油タンク９０は流出ゴムホース９２を介してディーゼルエンジン９４と連通され、空気混合軽油タンク９０の軽油をディーゼルエンジン９４に供給できるようになっている。
従って、ディーゼルエンジン９４に送り込まれる軽油には微細な空気の気泡が分散混合しているので軽油の燃焼効率が一段と向上し、ディーゼルエンジン９４の低燃費効果を図ることができる。
また、前記ディーゼルエンジン９４の燃焼効率が向上することにより有害物質の排出を抑えることができると共に軽油の燃えかす等の公害微粒子物質の発生を減少させることができる。これにより、社会問題化しているディーゼルエンジン公害を抑えることに役立たせることができる。
また、前記低公害効果を図ることができることにより、従来ディーゼルエンジンに用いられている触媒フィルターの簡素化を図ることができるという副次的効果がある。
【００１１】
図１２〜図１５には流体混合供給装置の第２実施例が示されている。なお、第１実施例の流体混合供給装置１０と同一の構成は同一の符号を用いてその説明を省略する。
図１２に示されるように、流体混合供給装置１００の外筒１２の中間部２２の内部にはプラスチックスで一体形成された複数の仕切体１０２が外筒１２の中間部２２と同心状に連結されて配設されている。これら仕切体１０２には前記外筒１２の長手方向と交差方向に板状の仕切板部１０３が配設されている。この仕切板部１０３の外周面１０３Ａは前記中間部２２の内周面２２Ａに密着当接し、これにより前記中間部２２の内部は複数の室３４に仕切られている。
図１４に示されるように、これら仕切板部１０３には周方向に沿って９０°毎に液体通過部３６が形成されている。
図１３及び図１４に示されるように、前記仕切板部１０３の一端面には円柱形状のボス部１０４が突設されている。このボス部１０４の先端面には溝部１０６が形成されている。
また、図１５に示されるように、前記仕切板部１０３の他端面には前記ボス部１０４の溝部１０６に嵌入される嵌入突起部１１０が形成されている。
図１４に示されるように、この嵌入突起部１１０は前記溝部１０６に対して４５°傾斜した状態で形成されている。
従って、前記仕切体１０２の嵌入突起部１１０を隣り合う仕切体１０２の溝部１０６に嵌入することにより、図１３に示されるように仕切体１０２は複数連結されると共に仕切体１０２の液体通過部３６と隣り合う仕切体１０２の仕切板部１０３が対応するようになっている。
なお、前記第２実施例の流体混合供給装置１００の仕切体１０２はプラスチックスで一体形成されているので大量生産することができると共に仕切体１０２は嵌め込んで連結していくので連結される仕切体１０２の数を容易に調節することができる。
また、第２実施例の流体混合供給装置１００は第１実施例の流体混合供給装置１０に比べて仕切体支持シャフト３０やカラー４０が不要であるので製品の部品点数を少なくすることができる。
なお、他の構成、作用、効果は第１実施例の流体混合供給装置１０と同一であるので、その説明は省略する。
【００１２】
なお、実施例では前記流体流入部２８にはコンプレッサー２４によって加圧された空気を流体ホース２６を介して外筒１２内部に流入するようにしたが、流体流入部２８から外筒１２に流入させる流体は空気に限定されるものではなく、ガス等でもよい。
また、前記流体ホース２６に水等の液体を流して流体流入部２８から外筒１２内に水等の液体を流すようにしてもよい。例えば、前記流体混合供給装置１０の液体流入部１４にポンプ４４で加圧された水を水供給パイプ４６を介して外筒１２の中間部２２に流すと共に、図示されないポンプによって加圧された水（空気等の気泡を多く含んでいる水）を流体ホース２６を介して流体流入部２８から外筒１２に流入させる。そして、流体混合供給装置１０で水供給パイプ４６からの水と流体流入部２８からの水を乱流させるようにしてもよい。
【００１３】
なお、実施例では流体混合供給装置１０を水槽給水装置４３、散水機５１、シャワー６０、ディーゼルエンジン燃料供給装置７０に適用した例を示したが、流体混合供給装置１０の適用例はこれに限定されるものでないことは勿論である。また、実施例では液体として水や軽油を用いた例を示したが、液体は水、軽油に限定されるものでなくワイン、ビール等をはじめとする他の液体でもよいことは勿論である。
なお、実施例では流体混合供給装置１０の外筒１２に流体流入部２８を１個形成したが、流体流入部２８を複数個形成してもよいことは勿論である。
また、実施例では流体混合供給装置１０の外筒１２の長さ寸法を３００ｍｍに設定したが、外筒１２の長さ寸法は３００ｍｍに限定されるものでないことは勿論である。
なお、第２実施例の流体混合供給装置１０２の仕切体１０２はプラスチックスで一体形成したがプラスチックスに限定されないことは勿論である。
【００１４】
【発明の効果】
本発明の流体混合供給装置は、液体と空気等の流体が外筒に内設されている仕切体に当たることにより室内で乱流状態となり、これにより液体の中に極めて微細な微粒子状の気泡を液体に分散混合して供給することができるという優れた効果を有する。
また、請求項３の流体供給装置は、前記優れた効果の他に連結される仕切体の数を容易に調節できると共に部品点数を少なくすることができるという優れた効果を有する。
【図面の簡単な説明】
【図１】第１実施例の流体混合供給装置の縦断面図である。
【図２】第１実施例の流体混合供給装置の一部拡大縦断面図である。
【図３】第１実施例の流体混合供給装置の仕切体支持シャフトに配設された仕切板の斜視図である。
【図４】第１実施例の流体混合供給装置の仕切体の正面図である。
【図５】第１実施例の流体混合供給装置が適用された水槽給水装置の概略側面図である。
【図６】第１実施例の流体混合供給装置を直線状に複数配設した概略図である。
【図７】第１実施例の流体混合供給装置を横に複数配設した概略図である。
【図８】第１実施例の流体混合供給装置を並列に複数配設した概略図である。
【図９】第１実施例の流体混合供給装置が適用された散水機の概略側面図である。
【図１０】第１実施例の流体混合供給装置が適用されたシャワーの概略側面図である。
【図１１】第１実施例の流体混合供給装置が適用されたディーゼルエンジン燃料供給装置の概略側面図である。
【図１２】第２実施例の流体混合供給装置の一部拡大縦断面図である。
【図１３】第２実施例の流体混合供給装置の仕切体を連結した一部斜視図である。
【図１４】第２実施例の流体混合供給装置の仕切体の正面図である。
【図１５】第２実施例の流体混合供給装置の仕切体の側面図である。
【符号の説明】
１０　　流体混合供給装置
１２　　外筒
１４　　液体流入部
１８　　液体流出部
２２　　中間部
２８　　流体流入部
３０　　仕切体支持シャフト
３２　　仕切体
３２Ｂ　仕切板部
３４　　室
３６　　液体通過部
【図１】
2004066073.tif 000003
【図２】
2004066073.tif 000004
【図３】
2004066073.tif 000005
【図４】
2004066073.tif 000006
【図５】
2004066073.tif 000007
【図６】
2004066073.tif 000008
【図７】
2004066073.tif 000009
【図８】
2004066073.tif 000010
【図９】
2004066073.tif 000011
【図１０】
2004066073.tif 000012
【図１１】
2004066073.tif 000013
【図１２】
2004066073.tif 000014
【図１３】
2004066073.tif 000015
【図１４】
2004066073.tif 000016
【図１５】
2004066073.tif 000017